(57)【特許請求の範囲】
【請求項１】
光学系部品および電子部品を収容する筺体と、
前記筐体の外部と当該筐体の内部空間とを連通させる吸気口と、
前記吸気口から取り込んだ空気の流路を形成するダクトと、
前記光学系部品および前記電子部品からの熱を冷却する複数のファンと、
複数の前記ファンが固定される板状のベースと、を備え、
前記ベースは、前記ダクトの底部に沿って、前記複数のファンが前記ダクト内に格納されるよう配置され、
前記ベースは、当該ベースの前記吸気口に近接した位置に、前記複数のファンが固定される上面に面した上部空間と、前記上面とは反対側の下面に面し、前記筐体の底部との間の下部空間とを連通させる開口部を備え、
前記ベースは、前記筐体を構成する部材よりも密度が大きい材料を含んでなる
ことを特徴とするプロジェクタ。
【請求項２】
前記開口部は、前記ベースにおける前記ファンの上流位置に設けられる
ことを特徴とする請求項１に記載のプロジェクタ。
【請求項３】
前記下部空間には、前記吸気口の対面側から取り込まれる前記筐体内の空気が、前記吸気口側に流れないようにするための風向制御構造を備え、
前記ベースは、前記風向制御構造と前記吸気口の対面側との間に、前記上部空間と前記下部空間とを連通させる通風用開口部をさらに備える
ことを特徴とする請求項１または２に記載のプロジェクタ。
【請求項４】
前記ベースは、前記ファンの通風路を形成する
ことを特徴とする請求項１に記載のプロジェクタ。
【請求項５】
前記ベースは、前記ファンの通風路を形成する当該ベース前記上面上に対して凸部または凹部を有する
ことを特徴とする請求項１に記載のプロジェクタ。
【請求項６】
前記ベースは、前記ダクトを支持する支持部を備える
ことを特徴とする請求項１に記載のプロジェクタ。
【請求項７】
前記ベースは、金属材料を含んでなる
ことを特徴とする請求項１に記載のプロジェクタ。
【請求項８】
前記ベースは、前記ベースにおける前記ファンの下流位置に通風用開口部をさらに備え、
前記筐体の底部は、前記通風用開口部に略対向する位置に底部開口部を備えること
を特徴とする請求項２に記載のプロジェクタ。
【発明の詳細な説明】
【技術分野】
【０００１】
本発明は、プロジェクタに関する。
【背景技術】
【０００２】
液晶プロジェクタなどの投射型表示装置には、高輝度な光源が用いられている。このような光源は非常に高温となるため、ファンを高回転化し、風量を増加し冷却する必要がある。一方、ファンを高回転化すると振動も増大するため、振動騒音が増加する。このような課題に対処するため、質量の大きい部材にファンを固定するなどの方法が効果的である。
【０００３】
特許文献１には、液晶プロジェクタにおいて、光学部品を保持する筐体部と、光源ユニットを保持する光源ハウジング部と、光源からの熱を筐体外に排出するためのファンを保持するファン保持部と、前記ファンと光源との風路となるダクト部と、前記ダクト部に設けられる遮光整流のためのルーバ部とが一体であるプロジェクタが記載されている。特許文献１に記載のプロジェクタは、ファンを質量の大きい光源のホルダーに保持することで、ファンのエネルギが質量の大きな部材に伝わるため、振動を抑制し、騒音を低減できるとする。
【先行技術文献】
【特許文献】
【０００４】
【特許文献１】特開２００９−２６５３７８号公報
【発明の概要】
【発明が解決しようとする課題】
【０００５】
しかしながら、特許文献１に記載のプロジェクタにあっては、ファンは光源のホルダーの近傍にしか設置できない。このため、発熱部の冷却に最適なファン配置が困難となり、冷却性能が不足する虞れがある。
【０００６】
本発明は、このような事情に鑑みてなされたものであり、発熱部の冷却に最適なファン配置が可能なプロジェクタを提供することを目的とする。
【課題を解決するための手段】
【０００７】
上記課題を解決するために、本発明のプロジェクタは、光学系部品および電子部品を収容する筺体と、前記筐体の外部と当該筐体の内部空間とを連通させる吸気口と、前記吸気口から取り込んだ空気の流路を形成するダクトと、前記光学系部品および前記電子部品からの熱を冷却する複数のファンと、
複数の前記ファンが固定される板状のベースと、を備え、前記ベースは、前記ダクトの底部に沿って、前記複数のファンが前記ダクト内に格納されるよう配置され、前記ベースは、当該ベースの前記吸気口に近接した位置に、前記複数のファンが固定される上面に面した上部空間と、前記上面とは反対側の下面に面し、前記筐体の底部との間の下部空間とを連通させる開口部を備え、前記ベースは、前記筐体を構成する部材よりも密度が大きい材料を含んでなることを特徴とする。
【発明の効果】
【０００８】
本発明によれば、発熱部の冷却に最適なファン配置が可能なプロジェクタを提供することができる。
【図面の簡単な説明】
【０００９】
【図１】本発明の第１の実施形態に係るプロジェクタの概観斜視図である。
【図２】上記第１の実施形態に係るプロジェクタのアッパーケースを取り外したプロジェクタの上面斜視図である。
【図３】上記第１の実施形態に係るプロジェクタのアッパーケース、制御基板、電源排気ダクト、ランプ吸気ダクトおよび投射レンズのホルダーを取り外したプロジェクタの上面斜視図である。
【図４】上記第１の実施形態に係るプロジェクタのアッパーケース、制御基板、電源排気ダクト、ランプ吸気ダクト、投射レンズのホルダー、ランプ(光源)、光学系、投射レンズ、流路セパレータおよび電源を取り外したプロジェクタの上面斜視図である。
【図５】上記第１の実施形態に係るプロジェクタをランプファンダクト位置で切断した断面上面図である。
【図６】上記第１の実施形態に係るプロジェクタのアッパーケース、制御基板、電源排気ダクト、ランプ吸気ダクト、投射レンズのホルダー、ランプ(光源)、光学系、投射レンズ、流路セパレータ、電源、共通吸気ダクト、ランプファンダクト、Ｇパネル冷却ダクトおよびＢパネルおよびＰＢＳ冷却ダクトを取り外したプロジェクタの上面斜視図である。
【図７】上記第１の実施形態に係るプロジェクタをＧパネル冷却ダクトおよびＢパネルおよびＰＢＳ冷却ダクト位置で切断した断面上面図である。
【図８】上記第１の実施形態に係るプロジェクタのファンを固定するベースの上面斜視図である。
【図９】上記第１の実施形態に係るプロジェクタのＢパネルおよびＰＢＳ吸気ファン近傍の上面断面図である。
【図１０】図９のＡ−Ａ矢視断面図である。
【図１１】本発明の第２の実施形態に係るプロジェクタの開口部を有するベースに固定されたファン近傍の上面断面図である。
【図１２】図１１のＡ−Ａ矢視断面図である。
【図１３】本発明の第３の実施形態に係るプロジェクタのボトムセットに設けた開口部近傍で開口部を設けたベースおよびそのベースに固定されたファン近傍の上面断面図である。
【図１４】図１３のＡ−Ａ矢視断面図である。
【図１５】本発明の第４の実施形態に係るプロジェクタのダクト端部近傍で開口部を設けたベースおよびそのベースに固定されたファン近傍の上面断面図である。
【図１６】図１５のＡ−Ａ矢視断面図である。
【図１７】本発明の第５の実施形態に係るプロジェクタのランプ吸気ファンをボトムセットに固定するベースがＧパネル、ＢパネルおよびＰＢＳ冷却ダクト内に延在している構成の、ファン近傍の上面断面図である。
【図１８】図１７のＡ−Ａ矢視断面図である。
【図１９】筺体に配置されたファンの送風を模式的に示す上面断面図である。
【発明を実施するための形態】
【００１０】
以下、本発明の実施形態について図面を参照して詳細に説明する。本発明は以下の実施形態に限定されることなく、本発明の技術的な概念の中で種々の変形例や応用例をもその範囲に含む。
（第１の実施形態）
図１は、本発明の第１の実施形態に係るプロジェクタの概観斜視図である。図１（ａ）は、プロジェクタのアッパーケースを上方から見た斜視図、図１（ｂ）は、プロジェクタのボトムケースを下方から見た斜視図である。また、方向を説明する場合は、プロジェクタの投射方向を前面とし、前面に対して右を右面、左を左面、後を後面と表記する。
図１に示すように、プロジェクタ１０は、上側から被せる樹脂からなるアッパーケース１１（筺体）（図１（ａ））と、下側の筺体、光学系部品および電子機器類からなるボトムセット１２（図１（ｂ））とから構成される。
図１（ａ）に示すように、アッパーケース１１（筺体）には、操作ボタン１９が配置され、アッパーケース１１の前面１１ａにはスピーカ用の開口部１７と、投射窓１８が配置される。アッパーケース１１の左面１１ｃには、共通吸気口１３が設けられる。
【００１１】
図１（ｂ）に示すように、ボトムセット１２の後面１２ｂには、コネクタ接続部２０が設けられている。プロジェクタ１０は、内部に設けた複数のファンにより、ボトムセット１２の後面１２ｂに設けたランプ吸気口１４およびボトムセット１２の下側の吸気口１６から外気を筺体内部に取り込み、発熱部（図示略）を冷却し、温まった空気をボトムセット右面１２ｄに設けた共通排気口１５とアッパーケース１１の左面１２ｃに設けた共通吸気口１３から排出する。
【００１２】
次に、図２〜図７を参照してプロジェクタ１０の内部構成について説明する。
図２は、アッパーケース１１を取り外したプロジェクタ１０の上面斜視図である。
図２に示すように、アッパーケース１１を取り外すと、制御基板２１等が露出する。制御基板２１は、アッパーケース１１の左後方角部に設置される。アッパーケース１１の操作ボタン１９（図１（ａ））を押下すると、制御基板２１のメンブネレンキーボード（図示略）に接触し、入力信号が制御基板２１に流れ、プロジェクタ１０を操作できる。
投射レンズ２５は、投射レンズ２５のホルダー２６に保持され、制御基板２１の下側に配置される。また、アッパーケース１１（図１（ａ））の前面１１ａに設けられたスピーカ用の開口部１７（図１（ａ））に対応する位置に、スピーカ１７ａが配置されている。
ボトムセット１２（図１（ｂ））の後面１２ｂのボトムセット右面１２ｄに近い位置には、ランプ吸気ダクト２３とランプ(光源)２４が配置され、ボトムセット１２の前面１２ａに向かって流路セパレータ２７を挟んで電源排気ダクト２２が配置されている。
【００１３】
図３は、アッパーケース１１、制御基板２１、電源排気ダクト２２、ランプ吸気ダクト２３および投射レンズ２５のホルダー２６を取り外したプロジェクタ１０の上面斜視図である。
図３に示すように、ランプ(光源)２４より出射された光は、光学系２９内部を通過し、投射レンズ２５から出射されスクリーン（図示略）に投影される。光学系２９は、アイリスと、光をＲ、Ｇ、Ｂに分離するＰＢＳ（Polarization Beam Splitter：偏光ビームスプリッタ）と、各分離光に対応するレンズ、ミラーおよび偏光板と、各分離光を再度合成するプリズムとからなる。このような構成の光学系は一般に良く知られているため、詳細な説明は省略する。
共通吸気口１３の内側には、共通吸気ダクト３１が配置され、取り込んだ外気の流れを制御する。投射レンズ２５のホルダー２６（図２）の下側には、ボトムセット下側の吸気口１６が位置し、外気を取り込む。また、電源排気ダクト２２（図２）の内部には、電源３０が格納されており、電源排気ダクト２２内を通過する空気により冷却される。
【００１４】
図４は、アッパーケース１１、制御基板２１、電源排気ダクト２２、ランプ吸気ダクト２３、投射レンズのホルダー２６、ランプ(光源)２４、光学系２９、投射レンズ２５、流路セパレータ２７および電源３０を取り外したプロジェクタ１０の上面斜視図である。
図４に示すように、ボトムセット右面１２ｄ近傍には、電源排気ファン２８およびランプ排気ファン３２が配置され、プロジェクタ１０内で発熱源を冷却した空気を筐体外に排気する。電源排気ファン２８およびランプ排気ファン３２は、図８で後記するように、ベース４０に固定されている。ボトムセット後面１２ｂ近傍には、ランプ吸気ファン３３およびランプファンダクト３４が配置され、ランプ吸気ファン３３は、ボトムセット左面１２ｃに配置された共通吸気ダクト３１からプロジェクタ１０の中央方向に向け延在するＧパネル冷却ダクト３５と、ＢパネルおよびＰＢＳ冷却ダクト３６と、Ｒパネル冷却ダクト５２とからアッパーケース１１（図１（ａ））方向に向かい吹き上げられる空気を含むプロジェクタ１０内の空気５１（図５）を吸気し、ランプファンダクト３４を通じランプ(光源)２４（図３）に送風する。
【００１５】
図５は、プロジェクタ１０を図４のランプファンダクト３４位置で切断した断面上面図である。
図５に示すように、ランプ吸気ファン３３（図４）は、プロジェクタ１０内の空気５１を、空気５１ａとしてランプファンダクト３４（図４）を通じランプ(光源)２４（図４）に送風する。ランプ(光源)２４を冷却した空気５１ｂは、ランプ排気ファン３２により排気５１ｃされる。ＢパネルおよびＰＢＳ吸気ファン３７、Ｇパネル吸気ファン３８およびＲパネル吸気ファン３９は、図８で後記するように、ベース４２に固定されている。
【００１６】
図６は、アッパーケース１１、制御基板２１、電源排気ダクト２２、ランプ吸気ダクト２３、投射レンズ２５のホルダー２６、ランプ(光源)２４、光学系２９、投射レンズ２５、流路セパレータ２７、電源３０、共通吸気ダクト３１、ランプファンダクト３４、Ｇパネル冷却ダクト３５およびＢパネルおよびＰＢＳ冷却ダクト３６を取り外したプロジェクタ１０の上面斜視図である。
図６に示すように、ボトムセット左面１２ｃ近傍に配置された共通吸気ダクト３１（図３）内には、ＢパネルおよびＰＢＳ吸気ファン３７、Ｇパネル吸気ファン３８およびＲパネル吸気ファン３９が格納され、それぞれＢパネルおよびＰＢＳ冷却ダクト３６（図４）、Ｇパネル冷却ダクト３５（図４）およびＲパネル冷却ダクト５２（図４）内に送風する。ランプ吸気ファン３３は、図８で後記するように、ベース４１に固定されている。
【００１７】
図７は、プロジェクタ１０をＧパネル冷却ダクト３５およびＢパネルおよびＰＢＳ冷却ダクト３６位置で切断した断面上面図である。
図７に示すように、ＢパネルおよびＰＢＳ吸気ファン３７（図６）は、Ｂパネル５１ｄおよびＰＢＳ５１ｅに送風し、Ｇパネル吸気ファン３８（図６）は、Ｇパネルに送風５１ｆし、Ｒパネル吸気ファン３９（図６）はＲパネルに送風５１ｇする。
【００１８】
［ファン固定のベース］
<ベースの構造>
次に、図８を参照して、光学系部品および電子部品からの熱を冷却する複数のファンを固定するベースについて説明する。
図８は、複数のファンを固定するベースの上面斜視図である。
プロジェクタ１０は、前記図６および図７に示したように、アッパーケース１１（筺体）内に、主に光学系部品からの熱を冷却するＢパネルおよびＰＢＳ吸気ファン３７、Ｇパネル吸気ファン３８、およびＲパネル吸気ファン３９を備える。さらに、プロジェクタ１０は、前記図４および図５に示したように、制御基板２１、ランプ(光源)２４、電源３０などの電子部品からの熱を冷却する電源排気ファン２８、ランプ排気ファン３２、およびランプ吸気ファン３３を備える。
【００１９】
本実施形態のプロジェクタ１０は、上記複数のファン（電源排気ファン２８、ランプ排気ファン３２、ランプ吸気ファン３３、ランプファンダクト３４、ＢパネルおよびＰＢＳ吸気ファン３７、Ｇパネル吸気ファン３８、Ｒパネル吸気ファン３９）が固定される板状のベース４０，４１，４２（後記）を備えることを特徴とする。すなわち、プロジェクタ１０は、アッパーケース１１（筺体）内に、上記複数のファンを固定するためのベース４０，４１，４２を新たに設けたことを特徴とする。ベース４０，４１，４２は、ファン等の取付け用の部材（取付け金具）ではなく、振動騒音を低減する目的で新たに設ける。この目的のため、ベース４０，４１，４２は、プロジェクタ１０の筐体を構成する部材（アッパーケース１１（図１（ａ））よりも密度が大きい部材で構成される。具体的には、ベース４０，４１，４２は、鉄板で構成され、樹脂で形成されたアッパーケース１１（図１（ａ））よりも密度が大きい。なお、ベース４０，４１，４２は、密度が大きい部材であればどのような材質のものでもよい。例えば、鉄以外の金属の部材や、重い材質の樹脂を用いてもよい。あるいは、アンカー（重り）を有するものでもよい。
【００２０】
また、ベース４０，４１，４２は、図９および図１０で後記するように、板状の平板部４０ａ，４１ａ，４２ａを有し、この平板部４０ａ，４１ａ，４２ａ上に上記複数のファンが固定される。上記複数のファンとベース４０，４１，４２との固定は、ボルト・ナット・ネジ止め等による締結固定、接着剤による接着、溶接による固定、嵌合固定のいずれでもよい。そして、ベース４０，４１，４２は、アッパーケース１１（図１（ａ））の底面部に沿って配置されることで、制振機能が高められる。密度が大きいベース４０，４１，４２がアッパーケース１１（図１（ａ））の底部に配置されることで、上記複数のファンはより安定してベース４０，４１，４２の平板部４０ａ，４１ａ，４２ａに固定される。本実施形態では、ベース４０，４１，４２は、図９および図１０で後記するように、直方体形状のアッパーケース１１（図１（ａ））の底面部に、この底面部と略平行（水平）に配置される。
さらに、ベース４０，４１，４２は、上記複数のファンを固定した後、ボルト等の固定手段を用いて、より重量（自重）のあるボトムセット１２（図１（ｂ））に固定手段を用いて固定される。
【００２１】
ベース４０，４１，４２について具体的に説明する。
図８の左図に示すように、ベース４０は、電源排気ファン２８およびランプ排気ファン３２を固定するベースであり、密度の大きい鉄板からなる。ベース４０は、板状の平板部４０ａを有し、この平板部４０ａ上に電源排気ファン２８およびランプ排気ファン３２が立設して固定される。ベース４０は、図６に示すように、アッパーケース１１（図１（ａ））の底面部に、この底面部と略平行（水平）に配置され、さらにボトムセット１２（図１（ｂ））に固定手段を用いて固定される。
【００２２】
図８の中図に示すように、ベース４１は、ＢパネルおよびＰＢＳ冷却ダクト３６内に、ランプ吸気ファン３３を固定するベースであり、密度の大きい鉄板からなる。ベース４１は、板状の平板部４１ａを有し、この平板部４１ａ上にランプ吸気ファン３３が立設して固定される。なお、ベース４１は、図６に示すように、アッパーケース１１（図１（ａ））の底面部に、この底面部と略平行（水平）に配置され、さらにボトムセット１２（図１（ｂ））に固定される。
【００２３】
図８の右図に示すように、ベース４２は、ＢパネルおよびＰＢＳ吸気ファン３７、Ｇパネル吸気ファン３８およびＲパネル吸気ファン３９を固定するベースであり、密度の大きい鉄板からなる。ベース４２は、連続した一様な部材で形成されており、ボトムセット１２（図１（ｂ））を構成する部材よりも密度が大きくてもよい。ベース４２は、板状の平板部４２ａを有し、この平板部４２ａ上にＢパネルおよびＰＢＳ吸気ファン３７、Ｇパネル吸気ファン３８およびＲパネル吸気ファン３９が固定される。ここで、Ｒパネル吸気ファン３９は、面積の広い平板部４２ａに対し直立させ、軸方向に平行に固定され、ＢパネルおよびＰＢＳ吸気ファン３７、およびＧパネル吸気ファン３８は、横向きで軸方向に垂直に固定される。ベース４２は、図８に示すように、アッパーケース１１（図１（ａ））の底面部に、この底面部と略平行（水平）に配置され、さらにボトムセット１２（図１（ｂ））に固定手段を用いて固定される。
【００２４】
本実施形態では、電源排気ファン２８およびランプ排気ファン３２を固定するベース４０と、ランプ吸気ファン３３を固定するベース４１と、ＢパネルおよびＰＢＳ吸気ファン３７、Ｇパネル吸気ファン３８およびＲパネル吸気ファン３９を固定するベース４２とを別部材で構成している。各ベース４０，４１，４２を別部材で構成することで、ファン取付けや組み立ての作業性を向上させることができる。ちなみに、各ベース４０，４１，４２が別部材で構成されていても、個々のベースには所定の重量（自重）があるので、ファンの制振機能は高められている。
なお、本実施形態では、ベース４０，４１，４２を別部材で構成する例について説明したが、例えばベース４１とベース４２を１つの部品で構成してもよい。
また、各ベース４０，４１，４２は、ボトムセット１２（図１（ｂ））よりも密度が大きい金属などで形成してもよい。
【００２５】
<ベースの配置>
上記複数のファンを固定した各ベース４０，４１，４２は、ボトムセット１２（図１（ｂ））に固定手段を用いて固定される。以下、図９および図１０を参照して、ベース４２のボトムセット１２（図１（ｂ））への固定について説明する。ベース４０，４１についても同様に固定される。
【００２６】
図９は、ＢパネルおよびＰＢＳ吸気ファン３７近傍の上面断面図である。図１０は、図９のＡ−Ａで切断した断面図である。
図９および図１０に示すように、ベース４２の平板部４２ａには、ＢパネルおよびＰＢＳ吸気ファン３７、Ｇパネル吸気ファン３８およびＲパネル吸気ファン３９が固定される。そして、図１０に示すように、ＢパネルおよびＰＢＳ吸気ファン３７、Ｇパネル吸気ファン３８およびＲパネル吸気ファン３９を固定したベース４２は、ボトムセット１２に設けられたボス４４に対しボルト４５などの固定手段で固定される。上記固定手段は、ボス４４とボルト４５に限らず、接着剤などの手段で固定してもよい。図１０に示すように、
ボトムセット１２は、支持脚５３により支持される。また、ボトムセット１２は、ベース４２の平板部４２ａと対向する面に梁５４を有し、梁５４によってこの面が補強される。
【００２７】
このように、ＢパネルおよびＰＢＳ吸気ファン３７、Ｇパネル吸気ファン３８およびＲパネル吸気ファン３９は、ベース４２に固定され、これら複数のファンを固定したベース４２はさらにボトムセット１２に固定される。
なお、図１０に示すように、共通吸気口１３の内側には、共通吸気ダクト３１が配置され、さらに共通吸気ダクト３１の内側にはＢパネルおよびＰＢＳ冷却ダクト３６が配置されている。ＢパネルおよびＰＢＳ冷却ダクト３６には、光学系部品４３と対向する位置に開口部３６ａが設けられている。
【００２８】
以上説明したように、本実施形態に係るプロジェクタ１０は、光学系部品および電子部品を収容するアッパーケース１１（筺体）（図１（ａ））およびボトムセット１２（図１（ｂ））と、電源排気ファン２８およびランプ排気ファン３２を固定するベース４０と、ＢパネルおよびＰＢＳ冷却ダクト３６内に、ランプ吸気ファン３３を固定するベース４１と、ＢパネルおよびＰＢＳ吸気ファン３７、Ｇパネル吸気ファン３８およびＲパネル吸気ファン３９を固定するベース４２と、を備え、ベース４０，４１，４２は、アッパーケース１１を構成する部材よりも密度が大きい材料からなり、アッパーケース１１の底面部に、この底面部と略平行（水平）に配置されるとともに、ボトムセット１２に固定手段を用いて固定される。
【００２９】
この構成により、アッパーケース１１内の各ファン、すなわち電源排気ファン２８、ランプ排気ファン３２、ランプ吸気ファン３３、ＢパネルおよびＰＢＳ吸気ファン３７、Ｇパネル吸気ファン３８およびＲパネル吸気ファン３９を、重量の大きいベース４０，４１，４２に固定することで、上記各ファンのエネルギが質量の大きなベース４０，４１，４２に伝わる。これにより、上記各ファンの回転駆動に伴う振動を抑制し、騒音を低減することができる。
【００３０】
特に、上記各ファンを固定したベース４０，４１，４２は、アッパーケース１１内の任意の位置に配置できるので、従来例のように、ファンを光源のホルダーの近傍にしか設置できないといった制約がなくなり、発熱部の冷却に最適なファンの配置を実現することができる。ファンの配置を最適化してファンの冷却性能を高めることができるので、ファンの小型化や個数削減、低コスト化（低コストのファンの使用）、回転速度の低減による省電力や振動騒音低減が期待できる。
【００３１】
本実施形態では、上記各ファンを固定したベース４０，４１，４２を、さらに重量の大きいボトムセット１２に固定手段を用いて固定しているので、ベース４０，４１，４２の制振機能を高めることができ、ファンの振動騒音をより一層低減することができる。
【００３２】
（第２の実施形態）
図１１は、本発明の第２の実施形態に係るプロジェクタのＢパネルおよびＰＢＳ吸気ファン３７近傍の上面断面図である。図１２は、図１１のＡ−Ａで切断した断面図である。図９および図１０と同一構成部分には同一符号を付して説明を省略する。
図１１および図１２に示すように、第２の実施形態に係るプロジェクタのベース４２は、共通吸気口１３に近い平板部４２ａに通風用の開口部４６が設けられている。ベース４２に開口部４６が設けられているので、共通吸気口１３から取り込まれる外気４７は、仮にベース４２の下側に位置する共通吸気口１３から筐体内に取り込まれても、ベース４２の開口部４６を通過して筐体内に取り込まれる外気４７aとなり、更に、ＢパネルおよびＰＢＳ吸気ファン３７に供給される外気４７ｂと合流できる。
これにより、本実施形態では、ベース４２は、筺体内の空気を通す通風用の開口部４６を備えるので、ベース４２をＢパネルおよびＰＢＳ吸気ファン３７の下側に設けても、共通吸気口１３全体から外気４７を取り込むことができる。
なお、上記開口部４６の位置や形状は、任意に変更してもよい。
【００３３】
このように、本実施形態では、ベース４２は、共通吸気口１３に近い平板部４２ａに開口部４６を設けているので、ベース４２の下側に位置する共通吸気口１３から筐体内に取り込まれた空気をベース４２の上側に通気させることができ、冷却性能を高めることができる。
【００３４】
（第３の実施形態）
図１３は、本発明の第３の実施形態に係るプロジェクタのＢパネルおよびＰＢＳ吸気ファン３７近傍の上面断面図である。図１４は、図１３のＡ−Ａで切断した断面図である。図１１および図１２と同一構成部分には同一符号を付して説明を省略する。
図１３および図１４に示すように、第３の実施形態に係るプロジェクタは、ボトムセット１２に開口部１２ｅが設けられる。また、ベース４２は、ボトムセット１２に開口部１２ｅに略対向する平板部４２ａに通風用の開口部４６ａが設けられる。
このように、本実施形態では、ボトムセット１２に開口部１２ｅを設け、その近傍に位置するベース４２の平板部４２ａに開口部４６ａを設けることで、ボトムセット１２に設けられた開口部１２ｅを通過して筐体内に取り込まれる外気４７ｃを得ることができる。これにより、ＢパネルおよびＰＢＳ吸気ファン３７の送風量が増加するので、温度を低減することができ、冷却性能を向上させることができる。
【００３５】
（第４の実施形態）
図１５は、本発明の第４の実施形態に係るプロジェクタのＢパネルおよびＰＢＳ吸気ファン３２近傍の上面断面図である。図１６は、図１５のＡ−Ａで切断した断面図である。図１１および図１２と同一構成部分には同一符号を付して説明を省略する。
図１５および図１６に示すように、第４の実施形態に係るプロジェクタは、ベース４２の平板部４２ａが、ＢパネルおよびＰＢＳ冷却ダクト３６の端部の近傍まで延出している。そして、このベース４２の平板部４２ａ部分に通風用の開口部４６ｂが設けられている。また、共通吸気ダクト３１の下流側は、封止部５６により封止される。封止部５６のさらに下流側（図１６の右側）には、ファン５５が設置され、ファン５５は、共通吸気口１３の風向に略対向する向きに送風する。詳細は、図１９により後記する。
ＢパネルおよびＰＢＳ冷却ダクト３６の端部に設けられた開口部３６ａの近傍で、ベース４２の平板部４２ａに開口部４６ｂが開口し、かつ、端部が封止部５６により封止されている。これにより、ファン５５からの送風を受けて共通吸気口１３の対面側（図１６の右側）から取り込まれる筐体内の空気４７ｄも光学系部品４３に供給される。
【００３６】
図１９は、ファン５５の送風を模式的に示す上面断面図である。図１９は、ファン５５からの空気の流れを分かり易くするために、共通吸気口１３およびファン５５以外の図示を省略している。
図１９（ａ）に示すように、ファン５５は、上面視して、筺体の一方の側面側（図１９（ａ）の右側）に、共通吸気口１３と反対方向に送風するように配置される。ファン５５から送風された空気５８ａは、筺体の側面に沿って流れ（空気５８ｂ参照）、さらにランプ・電源等の構造物５７に沿って流れ（空気５８ｃ参照）、結果的には共通吸気口１３に略対向する向きに送風される。この構造により、レイアウト上の自由度を高めることができる。また、図１９（ｂ）に示すように、ファン５５は、上面視して、共通吸気口１３の風向に略対向する向きに送風（空気５８ａ参照）するように配置してもよい。なお、ファン５５は、図１９の配置例に限られず、どのようなものでもよい。また、ファン５５の個数も限定されない。
【００３７】
図１５および図１６の説明に戻って、光学系部品４３の位置は、プロジェクタの機種ごとに固定される。このため、ベース４２に固定されるファンの固定部を最適な位置に設けられず、光学系部品４３の下部まで延在させざるを得ないことがある。このような構造において、ＢパネルおよびＰＢＳ冷却ダクト３６の端部に設けられた開口部３６ａの近傍で、ベース４２の開口部４６ｂを設けることで、共通吸気口１３の対面側から取り込まれる筐体内の空気４７ｄも光学系部品４３に供給できるため、冷却性能を向上させることができる。本実施形態では、共通吸気口１３の対面側から取り込まれる筐体内の空気４７ｄが共通吸気口１３側に流れないようにするため、ボトムセット１２に風向制御構造４８（例えば、凸部）を設けている。
【００３８】
（第５の実施形態）
図１７は、本発明の第５の実施形態に係るプロジェクタのＢパネルおよびＰＢＳ吸気ファン３２近傍の上面断面図である。図１８は、図１７のＡ−Ａで切断した断面図である。図１１および図１２と同一構成部分には同一符号を付して説明を省略する。
図１７および図１８に示すように、本実施形態に係るプロジェクタでは、ＢパネルおよびＰＢＳ冷却ダクト３６内にランプ吸気ファン３３（図８）を固定するベース４１が配置される。このベース４１は、固定手段を用いてボトムセット１２に固定される。
【００３９】
ボトムセット１２に固定する位置が最適化できないなどの理由で、図１８に示すように、ベース４１がＢパネルおよびＰＢＳ冷却ダクト３６内に延在する場合がある。この場合、ベース４１の一部が、ＢパネルおよびＰＢＳ吸気ファン３７（図８）の送風路の一部を形成する。本実施形態では、ベース４１に風向制御構造４９を設け、ベース４１の一部を通風路として用いる。風向制御構造４９は、例えばベース４１の平板部４１ａ上に設けた凸部（図１８）である。また、風向制御構造４９は、例えばベース４１の平板部４１ａを窪ませた凹部（図示省略）であってもよく、この凹部に通風路が形成されることで風向きを制御できる。
ここで、上記風向制御構造４９は、ベース４２に形成されていてもよい。
また、ベース４１は、ＢパネルおよびＰＢＳ冷却ダクト３６を支持する支持部材５０を備えることで、ＢパネルおよびＰＢＳ冷却ダクト３６をより安定に保つことができる。なお、支持部材５０は、ベース４２に形成されていてもよい。
【００４０】
本発明は上記各実施形態に限定されるものではなく、特許請求の範囲に記載した本発明の要旨を逸脱しない限りにおいて、他の変形例、応用例を含む。
【００４１】
上記各実施形態は本発明をわかりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００４２】
１  室外ユニット
１０  プロジェクタ
１１  アッパーケース（筺体）
１２  ボトムセット
１３  共通吸気口
１４  ランプ吸気口
１５  共通排気口
１６  ボトムセット下側の吸気口
１８  投射口
２１  制御基板
２２  電源排気ダクト
２３  ランプ吸気ダクト
２４  ランプ(光源)
２５  投射レンズ
２６  投射レンズのホルダー
２７  流路セパレータ
２８  電源排気ファン
２９  光学系
３０  電源
３１  共通吸気ダクト
３２  ランプ排気ファン
３３  ランプ吸気ファン
３４  ランプファンダクト
３５  Ｇパネル冷却ダクト
３６  ＢパネルおよびＰＢＳ冷却ダクト
３６ｂ  Ｇパネル、ＢパネルおよびＰＢＳ冷却ダクト端部に設けられた開口部
３７  ＢパネルおよびＰＢＳ吸気ファン
３８  Ｇパネル吸気ファン
３９  Ｒパネル吸気ファン
４０  電源排気ファンおよびランプ排気ファン固定するベース
４０ａ，４１ａ，４２ａ  平板部
４１  ランプ吸気ファンを固定するベース
４２  Ｇパネル、ＢパネルおよびＰＢＳ吸気ファン、Ｒパネル吸気ファンおよびＲパネル吸気ファンを固定するベース
４３  光学系部品
４４  ボス（固定手段）
４５  ボルト（固定手段）
４６，４６ｂ  開口部
４８，４９  風向制御構造
５５  ファン
【図１】
0006752020.tif 000002
【図２】
0006752020.tif 000003
【図３】
0006752020.tif 000004
【図４】
0006752020.tif 000005
【図５】
0006752020.tif 000006
【図６】
0006752020.tif 000007
【図７】
0006752020.tif 000008
【図８】
0006752020.tif 000009
【図９】
0006752020.tif 000010
【図１０】
0006752020.tif 000011
【図１１】
0006752020.tif 000012
【図１２】
0006752020.tif 000013
【図１３】
0006752020.tif 000014
【図１４】
0006752020.tif 000015
【図１５】
0006752020.tif 000016
【図１６】
0006752020.tif 000017
【図１７】
0006752020.tif 000018
【図１８】
0006752020.tif 000019
【図１９】
0006752020.tif 000020